(57)【要約】【課題】本発明は、現代人の股関節の運動量を増進する事により腰痛や関節の痛み等の防止を促す事を目的とし、足の動きにより股関節運動を促進する履き物に付いて提供するものである。【解決手段】履き物の爪先方向に回転板やローラーを設け歩行運動時に後ろ足の爪先が内側に回転することにより股関節の回転運動を促すもので、回転板は土踏まず付近に回転軸を設け、回転制限を設けると共に回転荷重が生じた時に稼働する様にバネ等を用い、ローラによるものはローラーに回転制限を設け、バネやカム等で回転荷重が生じた時に稼働する様にする。【選択図】図２
2005006937.tif 000002
【特許請求の範囲】
【請求項１】
履き物の底（１）の少なくとも爪先側に回転板（２）を設け回転板（２）は履き物の底（１）の土踏まず付近に回転軸（３）で軸止めし、回転板（２）は回転軸（３）に対し最大約４５度の回転範囲に回転を制限する制限機構（５）を設けた股関節の回転運動を促進する履き物。
【請求項２】
履き物の底（１）の少なくとも爪先側に回転ローラ（６）を設け回転ローラ（６）は履き物の側面方向に回転する様に取り付け、回転ローラ（６）はローラにテーパを付けるまたは、複数のローラー同士の軸芯の延長線を合わせる等により履き物の底（１）の土踏まず付近を中心径（７）に回転する動きとし、中心径（７）に対し最大約４５度の回転範囲に制限する制限機構（５）を設けた股関節の回転運動を促進する履き物。
【請求項３】
請求項１及び請求項２の股関節の回転運動を促進する履き物において回転板（２）は回転方向に荷重が掛かった時に稼働し、無負荷及び荷重軽減時に復帰する戻りバネ（４）等による復帰機構を設け、回転ローラ（６）は回転方向に荷重が掛かった時に稼働し、無負荷及び荷重軽減時に復帰する戻りバネ（４）等による復帰機構を設けたもの。
【発明の詳細な説明】
【発明の属する分野】
【００１】
本発明は、主に運動に使用する運動靴や一般の靴、サンダル等の履き物に関するもので有り、歩く、走る動作と共に履き物の足の軸を中心とした回転運動を促す事により股関節の回転運動を促し、腰痛、関節痛の解消や運動能力の向上に寄与しようとするものである。
【従来の技術】
従来から回転ローラーを使用した履き物やスケート靴等が有る。また、ローラーを使用した扁平足防止等の靴等が有るが、主に前後方向に直線的な動きをさせるものである。また、靴底に回転板を用いたものが有るが、足の甲を軸足回転させ回転を制限したものはないと共に回転部の可動部が復帰し繰り返し動作を促すものは無かった。
【解決しようとする課題】
【００２】
古来人間は主に土の上を歩いてきた、また履き物も当初は裸足であったであろうが、草履等の様な履き物を主に履いていた。現代は主にコンクリートの上を滑らない材質でできた靴底の履き物を履いている。また、歩き方に関しても出来るだけ真っ直ぐな歩き方を心がけ、従来のガニ股歩きが少なくなってきたように思われる。これらの事から現代人は歩行、走行時に股関節の回転運動量が減ってきていると思われる。古来土の上を草履等で歩いている時には爪先の荷重が土に加わり、土の粒子が滑る、転がる等により爪先等の回転を促進したが、現代においてコンクリートの上をゴム底の靴で歩いた場合には靴の底が回転しにくく強いては股関節が回転し難いケースが多くなってきていると言える。
【００３】
これらのことから、走行時の後ろ足（蹴り足）を足の軸で回転を促すことにより、股関節の回転運動（多軸関節である大腿骨頭の動き）を促し、健康に役立てようとするものである。近年、股関節の運動を促進するため、高校球児が回転板の上での練習を行ったり、スポーツ界では股関節を有効に回転される日本古来の武道家の歩き方を取り入れた練習方法等が研究及び推進されつつある。これらの事から本来の人間の股関節の回転運動機能を回復、または、高める事は有用な事と考えられる。
【課題を解決するための手段】
【００４】
請求項１の本発明は、履き物の底（１）の少なくとも爪先側に回転板（２）を設け回転板（２）は履き物の底（１）の土踏まず付近に回転軸（３）で軸止めし、回転板（２）は回転軸（３）に対し最大約４５度の回転範囲に回転を制限する制限機構（５）を設けた股関節の回転運動を促進する履き物である。
【００５】
請求項２の本発明は、履き物の底（１）の少なくとも爪先側に回転ローラ（６）を設け回転ローラ（６）は履き物の側面方向に回転する様に取り付け、回転ローラ（６）はローラにテーパを付けるまたは、複数のローラー同士の軸芯の延長線を合わせる等により履き物の底（１）の土踏まず付近を中心径（７）に回転する動きとし、中心径（７）に対し最大約４５度の回転範囲に制限する制限機構（５）を設けた股関節の回転運動を促進する履き物である。
【００６】
請求項３の本発明は、請求項１及び請求項２の股関節の回転運動を促進する履き物において回転板（２）は回転方向に荷重が掛かった時に稼働し、無負荷及び荷重軽減時に復帰する戻りバネ（４）等による復帰機構を設け、回転ローラ（６）は回転方向に荷重が掛かった時に稼働し、無負荷及び荷重軽減時に復帰する戻りバネ（４）等による復帰機構を設けたものである。
【００７】
【実施例】
以下、本発明の股関節の回転運動を促進する履き物の実施例を図面により具体的に説明する。図１は、靴１の靴底２に可動底３を可動軸４により軸止めしたものであり、可動底３は戻りバネ７の押す力が可動底スプリング受け８に受ける力で可動底３の中心線である基準線５が図示する位置に戻るもので有る。図示しないがここでの可動底３は靴底２と可動軸４によりスムーズに回転するようにボールベアリングや、ボール、ローラ、スライドバー等の機構を用いても良い。また、戻りバネは金属製以外にプラスチックを用いても良く、可動底２や靴底２と一体形でも良いものである。また、可動底３は取り外しを可能とした構造でも良い。
【００８】
図２は、図１の靴１の可動底３に横方向の回転負荷が掛かった状態を示し、回転制限機構である可動底３ａの側面が可動底止め部１５にあたり回転が制限され基準線５が基準線５ａの位置に可動底が移動し停止した状態を示す。稼働前の基準線５と移動後の基準線５ａが回転角２２を形成する。図示しないが戻りバネ７を使用しないで稼働底３が自由に可動範囲を回転するものでも良い。また、可動底止め部１５の位置を可変にすることにより可動底３ａの回転角２２を調整できるものとしても良い。また、戻しバネ７の強度調整機能を付加し戻りバネの強度を調節できる様にしても良い。
【００９】
図３は、靴１の靴底２ａに回転ローラ６を設けたものを示し、各回転ローラ６の軸心の延長線１９が土踏まず付近で交差する交差点２０を形成するものを示す。
【０１０】
図４（ａ）は、回転ローラ６周辺を示し靴底２ａにローラ軸１７が支えられ回転ローラ６が取り付けられ戻りバネ７ａが設けられている。戻りバネ７ａにローラスプリング受け１８が掛かり回転ローラ６の無負荷時の定位置とする。図４（ｂ）は回転ローラ６の下部に時計回り方向の負荷が掛かった状態を示し、回転ローラ６は時計方向に回転方向１６に回転しローラスプリング受け１８は戻りバネ７ａを押し下げる。
【０１１】
図５（ａ）は、回転ローラ６ａ周辺を示し靴底２ｂにローラ軸１７で支えられ、戻りバネ７ｂが設けられている。戻りバネ７ｂは回転ローラ６ａに取り付けられたカム２３が回転ローラ６ａの無負荷時の定位置とする。図５（ｂ）は回転ローラ６ａの下部に時計方向の荷重が掛かった状態を示し、回転ローラ６ａは時計方向の回転方向１６に回転しカム２３は戻りバネ７ｂを押し上げる。図示しないがここでの回転ローラ６および６ａは円柱状のローラを使用しているが球状のローラでも一方方向に回転し、回転制限が出来うるものであるならば構わない。また、回転ローラ６及び６ａの個数は１個でも複数個でも構わないものである。また、回転ローラ６及び６ａにテーパを持たせ土踏まず付近を回転の軸芯とし爪先を回転させても良い。図５（ｃ）は、戻りバネを使用しない例を示し回転ローラ６ｂにカム頭２３ａを設けカム頭２３ａの稼働範囲内で自由に動作するものを示す。図示しないが、複数個の回転ローラを組み合わせて使用する場合にはお互いの回転同期を回転ローラの軸に歯車を組合せる等により同期機構を採用しても良い。また、回転ローラの軸に減速歯車等を用いた減速する機構を用いても良い。
【０１２】
図６は日本古来の武道家の歩行時の足裏の負荷部の移動のイメージを示し図６（ａ）は前に踏み出した時の足裏の負荷を示し、図６（ｂ）（ｃ）はその後の状態を示す。足裏２１の図中の濃い部分が負荷の多く掛かった状態を示し、図６（ａ）では、負荷部１０が踵にあり、図６（ｂ）では側面に負荷部１０ａ移り、図６（ｃ）での後ろ足にさしかかる点では爪先に負荷部１０ｂが表れると共に図６（ａ）と比べ多少爪先が内側を向く傾向がある。
【０１３】
図７は本発明の股関節の回転運動を促進する履き物による足裏の位置関係を示し、図７（ａ）は足を踏みだし踵を付いた状態の基準線５を示し、図７（ｂ）は踏み出した足を踏みしめ対面する足を踏み出した状態での元足の基準線５ａを示し、回転角２２を形成する。
【０１４】
図８は踏み出した足１３を踏み出した足を踏みしめ対面する足を踏み出した状態での元足１３ａをを示し、この時の足の回転の動き１４を示す。また、この動きに際した股関節１２の股関節の回転の動き１４ａを示す。本図での足の軸の回転は外回りの円弧回転であるが、内回り方向の回転も可能である。
【０１５】
【発明の効果】
股関節の回転運動をスポーツに取り入れた場合により多くの股関節周辺の筋肉を使用することにより疲れにくく、安定した力が発揮される事が知られている。
【０１６】
本発明は前述の構成のように、履き物の底をわずかに回転運動させることにより股関節の回転運動を促すものであり、現代人にとって動きの少ない股関節の動きは血行不良等による腰痛等を改善し、より健康を保つ事に繋がると考えられる。また、スポーツ等で応用が拡がりつつある股関節の回転を意識したパワーアップ効果を特殊な方法を使わず靴を履き歩く、走る等により運動能力の向上がより効果的に発揮出来るものと考えられ、極めて有用な発明と考える。
【０１７】
【図面の簡単な説明】
【図１】本発明の実施例の立体図である。
【図２】本発明の実施例の可動底に荷重を掛けた状態の立体図である。
【図３】本発明の他の実施例の立体図である。
【図４】本発明の他の実施例の断面図である。
【図５】本発明の他の実施例の断面図である。
【図６】武道家の歩行足裏の負荷状態のイメージ図である。
【図７】本発明の実施例での足裏の基準線を示すイメージ図である。
【図８】股関節と足の動きのイメージ図である。
【０１８】
【符号の説明】
１…靴
２…靴底
２ａ…靴底
２ｂ…靴底
３…可動底
３ａ…可動底
４…可動軸
５…基準線
５ａ…基準線
６…回転ローラ
６ａ…回転ローラ
７…戻りバネ
７ａ…戻りバネ
７ｂ…戻りバネ
８…可動底スプリング受け
９…靴底スプリング受け
１０…負荷部
１０ａ…負荷部
１０ｂ…負荷部
１１…ソール
１２…股関節
１３…足
１３ａ…足
１４…足の回転の動き
１４…股関節の回転の動き
１５…可動底止め部
１６…回転方向
１７…ローラ軸
１８…ローラスプリング受け
１９…延長線
２０…交差点
２１…足裏
２２…回転角
２３…カム
２３ａ…カム頭
【図１】
2005006937.tif 000003
【図２】
2005006937.tif 000004
【図３】
2005006937.tif 000005
【図４】
2005006937.tif 000006
【図５】
2005006937.tif 000007
【図６】
2005006937.tif 000008
【図７】
2005006937.tif 000009
【図８】
2005006937.tif 000010